(57)【要約】【課題】  従来自動車専用道路は道路本線上（側道を含む）、用便はトイレット専用車以外で用を達してはならないとされている。しかし道路上長時間滞在を要求されることも多い道路工事担当者にとって辛い条件でもあった。そこで設置及び撤去、回収の容易な機能的な  簡易トイレを提供したいと考えた。【解決手段】  本考案は工事車のあおりを利用し、そのあおりを簡易トイレの骨組みと連結し、内径７０〜８０センチメートル程度の円筒型立方体、地面から１８０センチメートル程度の立ち上がりをもつ小田原提灯式目かくし張り回しの簡易トイレを完成した。そして半円環枠丸パイプをスムーズに持ち上げ、本体を形づくり、取りおろしておりたたむのを一挙動で実現させることが出来た。【選択図】図３
0003130360.tif 000002
【実用新案登録請求の範囲】
【請求項１】
貨物自動車等の後部荷台に「あおり」のついた車のあおりを利用して工事用簡易トイレット（以下簡易トイレという）を装着、取り外しをすることを特徴とする簡易トイレの構造。
【請求項２】
簡易トイレ本体は折りたたみ式で中空の小田原提灯式伸縮躯胴を持つことを特徴とする簡易トイレ。
【請求項３】
本体の上下摺動式半円環枠の最上天蓋部（但し半円環枠のみで蓋はない）の直線部（弦部）を一挙動で固定枠パイプに繋止でき、逆に固定枠から取りはずすことも出来るようにフックを設置したことを特徴とする簡易トイレの構造。
【請求項４】
請求項３の固定枠パイプ（半円環枠パイプの直線部分・弦部に対応する）に適用される場合、この直管固定枠パイプのみ２重構造とし、内芯は両端を外大枠に熔接されており、それを内芯とする外套管はどこにも熔接されていずに回転自由な鞘管となる。但し、鞘管は内芯を中心にして回転するが、左右への移動は制限されている。この回転鞘管に２種類の位置のフックを熔接してなることを特徴とする簡易トイレの構造。
【考案の詳細な説明】
【技術分野】
【０００１】  主として自動車専用道路上で行われる工事中に必要とされる簡易トイレに関するものである。
【考案が解決しようとする課題】
【０００２】  本来自動車専用道路上の用便は禁止されており、専門のトイレ車は多数の現場に配置できず、一般道と異なり生理的要求が起こっても用を足す施設が少なく高価であり、特に５時間、８時間という現場滞在では、トイレ車両以外での用便は禁止されているが、工事車両の陰でできるだけ目立たぬよう、一般通行車両の人々に不快感を与えない注意が要求される。本考案は工事担当の人たちにも、通行車両の人々にも、簡易に車とともに移動でき、用便の用を達するようにすることを狙いとするものである。
【課題を解決する為の手段】
【０００３】  一般または公共の建築物があったり、住宅建築現場があったりすればしっかりとした簡易トイレの導入、設置が可能であるが、自動車専用道路上の制約や移動の簡便化が要求される性格上、工事作業者や通行者の意識に配慮して本考案による問題の解決を試みた。
【０００４】  本考案はまず簡易トイレの本体の枠組み（外大枠と呼ぶ）をどのような使用条件でも常に一定の形態の共通性がある「あおり」に摺動式あおり繋止金具によって取り付ける。車種によるあおりの高さの違いはその金具の摺動によって調整できるようにした。そして本体折りたたみ伸縮胴（カンバス等の目かくし布によって形成される）を水平断面でほぼ半円筒になるように形成し、半円の直線部（弦部）側に車両のあおり部分側が来るように固定する。
【０００５】  本体の躯胴部は小田原提灯式にカンバス地等の折りたたみの出来る遮蔽シート８を上下枠を含めて４段の半円環枠金属製パイプ４にゆるやかに固定され、最下底はエキスパンドメタル等の全体的な安定性を保つためにも或程度重量を持つ底板とする。
【０００６】  使用時に本簡易トイレに入った作業者が折りたたまれて地面（底板）に積まれている枠の一番上の半円環枠４の直線部（弦部）４′に熔接してある把持取手７を持って立ち上がり、そのパイプを工事車のあおりに強固に取りつけられている外大枠３の上部に取り付けたパイプ受け即ち固定枠パイプ９に移しかえる。そのための把持取手７であり半円型パイプつまり持ち上がり取手の熔接されている半円環枠４を持ち上げて固定枠パイプ９側のフックに引掛けるとよいのである。
【０００７】  この半円環枠の上下させ方、頭頂部でのパイプの取りつけ、取り外し、また外大枠とのあおりの取付け繋止方法等は実施例の説明の中に別述する。
【考案の効果】
【０００８】  工事現場に入り、工事車を停止させる。そして簡易トイレをおろし、その外大枠の取付け位置や高さをあおりとの関係で決めて摺動式あおり取付金具６で取付ける。そして折りたたんだカンバス地等の遮蔽シートの付いた把持取手を握って立ち上がり、その取手のついた半円環枠の直線部分４′を上段固定枠９のフックに引掛けると簡易トイレが完成する。勿論一人専用のトイレであり、自分の使った使い捨て小便袋（高速吸水性樹脂製品等の市販されている安くて簡便に提供できる製品等）は自分で処理するという精神で、作業者個々人に対しても車両通行中のドライバーにとっても、きたならしいといった心理的抵抗が少ない。
【実施例】
【０００９】  本考案の実施例を図解して説明する。
高速道路、自動車専用道路上では、立小便など禁止されているが、現実的には我慢しきれずに禁を犯している。本考案のような製品によってその禁を犯すことなく、道路管理者側も使用者側も共に気持ちよくそれぞれの用を達したいと考えた。【００１０】  本考案の概念図は図１に示すような工事車の荷台のあおりに繋止するものである。繋止する場所は工事現場としての道路の事情により決定されるものとする。【００１１】  図２は図１が目かくしシートをした概念図であるが、これのシートを外して骨組みを明瞭にした正面図である。上下左右のやや太い外大枠３は本考案簡易トイレの構造骨組みとしての剛性を荷うもので、本実施例ではＣ型鋼を用いている。【００１２】  外大枠として自動車専用道路の場合、強風にさらされることがあるため剛性を要求される、支柱は図３の本簡易トイレ本体をあおりに取付ける場合できるだけ軽量でしかも剛性の高いＣ型鋼が最適である。そしてもう一つの使い方として図５のように本考案の最大の眼目であるトイレとしての目かくしシートをつけたままスムーズに頭上近くまで半円環枠４を持ち上げる際、回転補助材（滑車）５をＣ形の溝に入れて、摩擦や左右同時の摺動での引っかかりを防止することが必要であることがテストの結果確かめられたからである。それも最上段の半円環パイプの場合には片側に２個ずつの回転補助材５が有効と判断される。【００１３】  図３は本簡易トイレを右側面より見た図である。肋骨様の半円環枠パイプ４のうち上段の半円環枠パイプ４のみがトイレ使用者によって自由に取り扱われる。遮蔽幕８を上げるのも下ろすのも簡単に出来るのが特長である。本トイレの骨組である外大枠３の後ろ側に車のあおり１と連結する金具６（図４）を用意している。この金具は外大枠３のＣ型鋼と緊密に組み合わさる寸法になっているので、外大枠３から金具６を外すのも組み合わせるのも木槌か拳で入れ外しができる。これで充分実用になることが証明された。【００１４】  簡易トイレの骨組みの次は簡易トイレを構成するユニットを説明する。
図３の半円環枠４に見るような金属パイプの半円外周に目かくし幕８を垂らしたものが一つのセットになっていて、（目かくし幕８は４枠３枚分ひとつながりになっている）このひとつながりで一基の簡易トイレになる。
この半円環枠４を折りたたみ状態から引きのばして小田原提灯式に形成される際、半円環枠４をスムーズに上下させることができるように外大枠３のＣ型鋼溝内に回転補助材５を組み込んである。半円環枠を握りやすいよう把持取手７をとりつけている。【００１５】  以上のような役割で部分が構成され簡易拙速設営であるが実用的であることが確認できた。しかしこの施設を使用する上から、もう一段使いやすくする為に以下の機能を追加した。【００１６】  図３の半円環枠４が本簡易トイレの基本であるが、トイレとして底部から幕８付き枠４を持ち上げて固定しようとする間、最上段枠に第２段、第３段の半円環枠を引きずって捧げ持っていなければならない。これを一人で一挙動で収容し、トイレの役を果たさせ、用便が終わった場合にはきちんと折りたたんで底板に収納しなければならない。そこで試行錯誤の結果、最小単位の手順で頭上に収容した半円環枠を誤って自分の頭上に落としかねないのを安全に取り上げ取りおろし出来るようにした。これがワンタッチ収納法である。【００１７】  図３の半円環枠４の直線部分（弦部）４′に熔接してある把持取手７を持ち、直線部分を外大枠３と連結されている直管９に半円環枠を引掛けるフックを設けた。
しかしこれだけでは不充分で、フックを軽く簡単に移動させることが必要とわかって、フックを移動させる方法として二重のスチール管を用意し、芯の鋼管（鉄芯でもよい）９′を外大枠３に熔接し、二重の表の方の鋼管９を芯のまわりに自由に回転できるようにし、その上で鞘管９の寸法を縮めて鞘管の管の横方向に滑らないようにした。
その中で強調して表現してあるが鞘管９の左右の長さは他の管類よりも大分短く表している。【００１８】  本考案の簡易トイレは車のあおりに固定されるが、工事の都合などで近距離移動しなければならない時など、外大枠３の脚部にキャスターをとりつけておき、本体を傾けて引張り移動させることが出来るようにしてもよい。
以上のような構成により付属金具など取りそろえて簡易トイレを改良し、いろいろの寸法のあおりにも対応できるようにしたので実用的に喜ばれると考えている。
【図面の簡単な説明】
【００１９】
【図１】  本簡易トイレの概念図（左側面図）
【図２】  本案の骨組、外大枠３の正面図
【図３】  本案トイレの上部約２分の１を切り欠きで示す右側面図
【図４】  外大枠３のあおりへの繋止め金具斜視図
【図５】  基本ユニットの斜視図。基本ユニットには原則としてスライド式回転補助金具５・半円環枠４の円弧部パイプと直線部（弦部と同じ）４′。
【図６】  ワンタッチ設置説明図
【図７】  ワンタッチ解除説明図
【図８−Ａ】  ワンタッチ設置原理の説明図
【図８−Ｂ】  ワンタッチ解除原理の説明図
【符号の説明】
【００２０】１．自動車のあおり
２．簡易トイレ
３．外大枠
４．半円環枠
４′．４の直線部（弦部）
５．回転補助材（滑車）
６．摺動式あおり繋止金具
６′．あおりの嵌入口
７．把持取手
８．遮蔽幕
９．固定枠パイプ（鞘管）
９′．芯鋼（管）
１０．設置フック
１１．解除フック
【図１】
0003130360.tif 000003
【図２】
0003130360.tif 000004
【図３】
0003130360.tif 000005
【図４】
0003130360.tif 000006
【図５】
0003130360.tif 000007
【図６】
0003130360.tif 000008
【図７】
0003130360.tif 000009
【図８−Ａ】
0003130360.tif 000010
【図８−Ｂ】
0003130360.tif 000011
【手続補正書】
【提出日】平成18年9月15日(2006.9.15)
【手続補正１】
【補正対象書類名】実用新案登録請求の範囲
【補正対象項目名】全文
【補正方法】変更
【補正の内容】
【実用新案登録請求の範囲】
【請求項１】
中空で小田原提灯式に伸縮させることを可能にしたほぼ半円筒形のカンバス地等の本体内側に、これの利用者が中に入ることのできる中空を維持する本体躯動部成型用Ｕ字形パイプを複数個所に取りつけ、これを梯子状の本体支持強化鋼管・平板鋼枠に添架させ、その本体支持強化枠を貨物自動車後部荷台に設けられたあおりに固定螺着したり、またこの本体支持強化枠をあおりから取りはずして、設置場所を簡易に移動させることを可能にしたことを特徴とする簡易トイレットの構造。
【請求項２】
請求項１記載の伸縮式本体躯胴部に於て、最下底のＵ字形パイプは支持強化枠に固定され、最上部のＵ字形パイプは本体支持強化枠の縦柱を摺動上下できるように滑車付きとし、最上部のＵ字形パイプの直線部即ち弦部に当る直線部には、Ｕ字形パイプの持ち上げ、下げおろしの把手をつけ、同時に支持強化枠側の最上部には、摺動式Ｕ字形パイプの弦部に相対する部分に円周方向に回転可能にした鋼管をとりつけ、Ｕ字形パイプの弦部を一挙動で繋止及び開放ができるように２種のフックを取付けたことを特徴とする簡易トイレットの構造。
【手続補正２】
【補正対象書類名】明細書
【補正対象項目名】全文
【補正方法】変更
【補正の内容】
【考案の詳細な説明】
【技術分野】
【０００１】  主として自動車専用道路上で行われる工事中に必要とされる簡易トイレット（以下簡易トイレという）に関するものである。
【考案が解決しようとする課題】
【０００２】  本来自動車専用道路上の用便は禁止されており、専門のトイレ車は多数の現場に配置できず、一般道と異なり生理的要求が起こっても用を足す施設が少なく、特に５時間、８時間という現場滞在では、トイレ車両以外での用便は禁止されているが、工事車両の陰でできるだけ目立たぬよう、一般通行車両の人々に不快感を与えない注意が要求される。本考案は工事担当の人たちにも、通行車両の人々にも、簡易に車とともに移動でき、用便の用を達するようにすることを狙いとするものである。
【課題を解決する為の手段】
【０００３】  一般または公共の建築物があったり、住宅建築現場があったりすればしっかりとした簡易トイレの導入、設置が可能であるが、自動車専用道路上の制約や移動の簡便化が要求される性格上、工事作業者や通行者の意識に配慮して本考案による問題の解決を試みた。
【０００４】  本考案はまず簡易トイレの本体躯胴部（以下本体という）を取りつけた梯子形の本体支持強化枠（以下本体支持枠という）をどのような使用条件でも常に一定の形態の共通性がある「あおり」に摺動式あおり繋止金具によって取り付ける。車種によるあおりの高さの違いはその金具の摺動によって調整できるようにした。そして本体の折りたたみ伸縮胴（カンバス地等の目かくし布によって形成される）を水平断面でほぼ半円筒になるように形成し、半円の直線部（弦部）側に車両のあおり部分側が来るように固定する。
【０００５】  本体の躯胴部は小田原提灯式にカンバス地等の折りたたみの出来る遮蔽シート８を上下枠を含めて４段の半円環枠金属製パイプ（以下Ｕ字形パイプという）４にゆるやかに固定され、最下底はエキスパンドメタル等の全体的な安定性を保つためにも或程度重量を持つ底板とする。
【０００６】  使用時に本簡易トイレに入った作業者が折りたたまれて地面（底板）に積まれているＵ字形パイプの一番上のＵ字形パイプ４の直線部（弦部）４ａに熔接してある把持取手７を持って立ち上がり、そのパイプを工事車のあおりに強固に取りつけられている本体支持枠３の上部に取り付けたパイプ受け即ち固定枠パイプ９に引掛ける。そのための把持取手７でありＵ字パイプつまり持ち上がり取手の熔接されているＵ字形パイプの弦部枠４ａを持ち上げて固定枠パイプ９側のフックに引掛けるとよいのである。
【０００７】  このＵ字形パイプ枠の上下させ方、頭頂部でのパイプの引掛け、取り外し、また本体支持枠のあおりへの取付け繋止方法等は実施例の説明の中に別述する。
【考案の効果】
【０００８】  工事現場に入り、工事車を停止させる。そして簡易トイレをおろし、その本体支持枠の取付け位置や高さをあおりとの関係で決めて摺動式あおり取付金具６で取付ける。そして折りたたんだカンバス地等の遮蔽シートの付いた把持取手を握って立ち上がり、その取手のついたＵ字形パイプの直線部分４ａを上段固定枠９のフックに引掛けると簡易トイレが完成する。勿論一人専用のトイレであり、自分の使った使い捨て小便袋（高速吸水性樹脂製品等の市販されている安くて簡便に提供できる製品等は予め用意してある）は自分で処理するという精神で、作業者個々人に対しても車両通行中のドライバーにとっても、きたならしいといった心理的抵抗が少ない。
【実施例】
【０００９】  本考案の実施例を図解して説明する。
高速道路、自動車専用道路上では、立小便など禁止されているが、現実的には我慢しきれずに禁を犯している。本考案のような製品によってその禁を犯すことなく、道路管理者側も使用者側も共に気持ちよくそれぞれの用を達したいと考えた。【００１０】  本考案の概念図は図１に示すような工事車の荷台のあおりに繋止するものである。繋止する場所は工事現場としての道路の事情により決定される。【００１１】  図２は図１が目かくしシートをした本体の概念図であるが、これのシートを外して骨組みを明瞭にした正面図である。左右のやや太い本体支持強化枠３ａは本考案簡易トイレの構造としての剛性を荷うもので、本実施例ではＣ型鋼を用いている。ちなみに支持強化枠の３ｂは平板鋼でＣ型鋼３ａに熔接している。【００１２】  本体支持枠として自動車専用道路の場合、強風にさらされることがあるため剛性を要求されるため、支持枠は図３の本簡易トイレ本体をあおりに取付ける場合できるだけ軽量でしかも剛性の高いＣ型鋼が最適である。そしてもう一つの使い方として図５のように本考案の最大の眼目であるトイレとしての目かくしシート８をつけたままスムーズに頭上近くまでＵ字形パイプ枠の直線部（弦部）４ａを持ち上げる際、回転補助材（滑車）５をＣ型鋼の溝に入れて、摩擦や左右同時の摺動での引っかかりを防止することが必要であることがテストの結果確かめられたからである。それも最上段のＵ字形パイプの場合には片側に２個ずつの回転補助材（滑車）５の使用がが有効と判断される。【００１３】  図３は本簡易トイレを本体から見て右側面より見た図である。肋骨様のＵ字形パイプ４のうち上段のＵ字形パイプ４のみがトイレ使用者によって自由に取り扱われる。本体としての遮蔽幕８を上げるのも下ろすのも簡単に出来るのが特長である。本トイレの骨組である本体支持強化枠３ａの後ろ側に車のあおり１と連結する金具６（図４）を用意している。この金具は本体支持強化枠３ａのＣ型鋼３ａと緊密に組み合わさる寸法になっている。これで充分実用になることが実験の結果確認された。【００１４】  簡易トイレの骨組みの次は簡易トイレを構成するユニットを説明する。
図５のＵ字形パイプ４に見るような金属パイプの半円外周に目かくし幕８を垂らしたものが一つのセットになっていて、目かくし幕８は４枠３枚分ひとつながりになっている。このひとつながりで一基の簡易トイレ本体になる。
このＵ字形パイプ４を折りたたみ状態から引きのばして小田原提灯式に形成される際、Ｕ字形パイプ４をスムーズに上下させることができるように本体支持枠３ａのＣ型鋼溝内に回転補助材５を組み込んである。Ｕ字形パイプ枠を握りやすいよう直線部（弦部）パイプ４ａに把持取手７をとりつけている。【００１５】  以上のような役割で部分が構成され簡易拙速設営であるが実用的であることが確認できた。しかしこの施設を使用する上から、もう一段使いやすくする為に以下の機能を追加した。【００１６】  図５のＵ字形パイプ枠が本簡易トイレ本体の基本骨組みであるが、トイレとして底部から本体躯胴部幕８付き枠４を持ち上げて固定しようとする間、最上段枠に第２段、第３段のＵ字形パイプを引きずって捧げ持っていなければならない。これを一人で一挙動で収容し、トイレの役を果たさせ、用便が終わった場合にはきちんと折りたたんで底板に収納しなければならない。そこで試行錯誤の結果、最小単位の手順で頭上に引掛けたＵ字形パイプを誤って自分の頭上に落としかねないのを安全に取り上げ取りおろし出来るようにした。これがワンタッチ収納法である。【００１７】  図５のＵ字形パイプ枠４の直線部分（弦部）４ａに熔接してある把持取手７を持ち、直線部分４ａを本体支持枠３ａと連結されている直管９にＵ字形パイプ枠を引掛けるフックを設けた。
しかしこれだけでは不充分で、フックを軽く簡単に移動させることが必要とわかって、フックを移動させる方法として二重のスチール管を用意し、芯の鋼管（鉄芯でもよい）９ａを本体支持枠３ａに熔接しておき、二重の表面の方の鋼管９ａを芯のまわりに自由に円周方向に回転できるようにし、その上で鞘管９ａの寸法を縮めて鞘管の管の水平方向には滑らないようにした。【００１８】  ここでワンタッチ式設置フックと解除フックの動きを解説する。
設置フック１０と解除フック１１とは通常の場合、ほぼ９０°の角度に開いて回転可能な鞘管９に熔接されている。（図８−Ａ−１）
設置フック１０と解除フックの重量の比率によりこの位置、角度で安定している。
ここへＵ字形パイプの直線部４ａを引掛けたいと４ａをフック１０に入れると４ａ側の重みでフック１０で安定する。これでフック１０の設置が終わる。
次に直管パイプ４ａを固定枠９から取り外そうとする時は、解除フック１１を時計の針まわりにまわしてやるとＡａはフック１０の上に落ち込むので４ａを解除フック１１から容易にとりおろせることになる。以上のように本体枠、布つき重量を利用することにより、取りつけ取りはずしが容易で安全になった。【００１９】  本考案の簡易トイレは車のあおりに固定されるが、工事の都合などで近距離移動しなければならない時など、本体支持枠３ａの脚部にキャスターをとりつけておき、本体を傾けて引張り移動させることが出来るようにしてもよい。
以上のような構成により付属金具など取りそろえて簡易トイレを改良し、いろいろの寸法のあおりにも対応できるようにしたので実用的に喜ばれると考えている。
【図面の簡単な説明】
【００２０】
【図１】  本簡易トイレの概念図（左側面図）
【図２】  本案の骨組、本体支持強化枠３の正面図
【図３】  本案トイレの上部約２分の１を切り欠きで示す右側面図
【図４】  本体支持枠３のあおりへの繋止め金具斜視図
【図５】  基本ユニットの斜視図。基本ユニットには原則としてスライド式回転補助金具５・Ｕ字形パイプ（枠）４の円弧部パイプと直線部（弦部と同意）４ａ。
【図６】  ワンタッチ設置説明図
【図７】  ワンタッチ解除説明図
【図８−Ａ−１】  通常の静止状態
【図８−Ａ−２】  Ａａを設置フック１０にかける
【図８−Ａ−３】  設置完了
【図８−Ｂ−１】  解除の場合解除フックを矢印におろす
【図８−Ｂ−２】  解除フックに乗せられたＡａをフック１１から外す（図８−Ａ−１に戻る）
【符号の説明】
【００２１】１．貨物自動車のあおり
２．簡易トイレ（側面）
３．本体支持強化枠、本案ではＣ型鋼
３ａ．本体支持強化枠の平板部
４．半円環枠（Ｕ字形パイプ）
４ａ．４の直線部（弦部）
５．回転補助材（滑車）
６．摺動式あおり繋止金具
６ａ  あおり嵌入口
７．把持取手
８．遮蔽幕（本体躯胴部）
９．固定枠パイプ（鞘管）
９ａ．芯鋼（管）
１０．設置フック
１１．解除フック
【手続補正３】
【補正対象書類名】図面
【補正対象項目名】全図
【補正方法】変更
【補正の内容】
【図１】
0003130360.tif 000012
【図２】
0003130360.tif 000013
【図３】
0003130360.tif 000014
【図４】
0003130360.tif 000015
【図５】
0003130360.tif 000016
【図６】
0003130360.tif 000017
【図７】
0003130360.tif 000018
【図８−Ａ−１】
0003130360.tif 000019
【図８−Ａ−２】
0003130360.tif 000020
【図８−Ａ−３】
0003130360.tif 000021
【図８−Ｂ−１】
0003130360.tif 000022
【図８−Ｂ−２】
0003130360.tif 000023
【図８−Ａ−１】
0003130360.tif 000024
【手続補正書】
【提出日】平成18年12月22日(2006.12.22)
【手続補正１】
【補正対象書類名】実用新案登録請求の範囲
【補正対象項目名】全文
【補正方法】変更
【補正の内容】
【実用新案登録請求の範囲】
【請求項１】
中空で小田原提灯式に伸縮させることを可能にしたほぼ半円筒形のカンバス地等の本体内側に、これの利用者が中に入ることのできる中空を維持する本体躯胴部成型用Ｕ字パイプを複数個所に取りつけ、これを梯子状の本体支持強化鋼管・平板鋼枠に添架させ、その本体支持強化枠を貨物自動車後部荷台に設けられたあおりに固定螺着したり、またこの本体支持強化枠をあおりから取りはずして、設置場所を簡易に移動させることを可能にしたことを特徴とする簡易トイレットの構造。
【請求項２】
前記の本体躯胴部に於て、最下底のＵ字型パイプは支持強化枠に固定され、最上部のＵ字型パイプは本体支持強化枠の縦柱を摺動上下できるように滑車付きとし、最上部のＵ字型パイプの直線部即ち弦部に当る直線部には、Ｕ字型パイプの持ち上げ、下げおろしの把手をつけ、同時に指示強化枠側の最上部には、摺動式Ｕ字型パイプの弦部に相対する部分に一部回転可能にした鋼管をとりつけ、Ｕ字型パイプの弦部を一挙動で繋止及び開放できるように２種のフックを取付けたことを特徴とする請求項１記載の簡易トイレットの構造。
【手続補正２】
【補正対象書類名】手続補正書
【補正対象項目名】手続補正３
【補正方法】変更
【補正の内容】
【手続補正３】
【補正対象書類名】図面
【補正対象項目名】全図
【補正方法】変更
【補正の内容】
【図１】
0003130360.tif 000025
【図２】
0003130360.tif 000026
【図３】
0003130360.tif 000027
【図４】
0003130360.tif 000028
【図５】
0003130360.tif 000029
【図６】
0003130360.tif 000030
【図７】
0003130360.tif 000031
【図８−Ａ−１】
0003130360.tif 000032
【図８−Ａ−２】
0003130360.tif 000033
【図８−Ａ−３】
0003130360.tif 000034
【図８−Ｂ−１】
0003130360.tif 000035
【図８−Ｂ−２】
0003130360.tif 000036